【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
放送電波を受信し、当該放送電波から受信信号を生成するチューナ部と、
前記受信信号に含まれる番組情報を分離するデマルチプレクス部と、
前記放送電波の受信状態が予め定められた基準を満たすか否かを判断する受信状態検出部と、
予め定められた地域毎に、系列局関係を識別するための系列局関係情報と、前記地域にサービスエリアが属する放送局の内、前記系列局関係情報で識別される系列局関係にある放送局の物理チャンネルを識別することのできる識別情報を少なくとも含むチャンネル情報とを対応付けた系列情報、及び、前記地域に隣接する隣接地域を示す隣接地域情報、を記憶する記憶部と、
前記チューナ部を制御して、視聴対象となる番組を放送する放送局を選局させ、当該放送局を視聴対象放送局とする選局制御部と、を備え、
前記選局制御部は、
前記番組情報から、前記視聴対象放送局のサービスエリアが属する地域を示す現在地域情報を取得する現在地域取得処理と、
前記受信状態検出部が、前記放送電波の受信状態が予め定められた基準を満たさないと判断した場合に、前記隣接地域情報より、前記現在地域情報で示される地域に隣接する隣接地域を特定し、当該特定された隣接地域をサーチ地域とするサーチ地域特定処理と、
前記系列情報より、前記サーチ地域にサービスエリアが属する放送局の内、前記視聴対象放送局と系列局関係にある放送局に対応するチャンネル情報を特定し、当該特定されたチャンネル情報に含まれる識別情報で識別される物理チャンネルをサーチ対象とするサーチ対象絞込処理と、
前記特定されたチャンネル情報に含まれる識別情報で識別される物理チャンネルの重複数を算出する第１重複数算出処理と、
前記チューナ部を制御して、前記サーチ対象とされた物理チャンネルに対応する放送局を、前記重複数の多い物理チャンネルに対応する放送局から順番に選局させ、当該選局させた放送局からの放送電波の受信状態が前記予め定められた基準を満たしている場合には、当該選局させた放送局を新たな視聴対象放送局とするサーチ処理と、を行うこと
を特徴とするデジタル放送受信装置。
【請求項２】
前記選局制御部は、前記サーチ地域特定処理において、前記現在地域情報で示される地域も前記サーチ地域に含めること
を特徴とする請求項１に記載のデジタル放送受信装置。
【請求項３】
前記選局制御部は、
前記第１重複数算出処理で算出された重複数が同じ複数の物理チャンネルがある場合には、前記系列情報より、前記サーチ地域にサービスエリアが属する放送局の内、前記視聴対象放送局と系列局関係にない放送局に対応するチャンネル情報を特定し、当該特定されたチャンネル情報に含まれる識別情報で識別される物理チャンネルと、前記複数の物理チャンネルの各々とが重複する重複数を算出する第２重複数算出処理をさらに行い、
前記サーチ処理において、前記複数の物理チャンネルの各々に対応する放送局を、前記第２重複数算出処理で算出された重複数の多いものから順に選局すること
を特徴とする請求項１又は２に記載のデジタル放送受信装置。
【請求項４】
前記記憶部は、複数の放送局間で選局が切り替えられた際の切替元の放送局のチャンネル情報と、当該切替元の放送局のサービスエリアが属する地域と、当該切替元の放送局から切り替えられた切替先の放送局のチャンネル情報と、当該切替先の放送局のサービスエリアが属する地域と、を対応付けた選局履歴情報をさらに記憶し、
前記選局制御部は、
前記選局履歴情報において、前記サーチ対象とされた物理チャンネルに対応する放送局が、当該放送局のサービスエリアが属する地域とは異なる地域にサービスエリアが属する前記切替元の放送局又は前記切替先の放送局との間で切り替えが行われていない場合には、当該放送局を他地域非隣接放送局として特定する他地域非隣接判断処理をさらに行い、
前記サーチ処理において、前記他地域非隣接放送局とされた放送局を選局する順番を、前記第１重複数算出処理で算出された重複数に基づく順番よりも遅らせること
を特徴とする請求項１から３の何れか一項に記載のデジタル放送受信装置。
【請求項５】
前記記憶部は、複数の放送局間で選局が切り替えられた際の切替元の放送局のチャンネル情報と、当該切替元の放送局のサービスエリアが属する地域と、当該切替元の放送局から切り替えられた切替先の放送局のチャンネル情報と、当該切替先の放送局のサービスエリアが属する地域と、を対応付けた選局履歴情報をさらに記憶し、
前記選局制御部は、
前記選局履歴情報において、前記視聴対象放送局から、前記サーチ地域に含まれる地域に移動した頻度を、前記サーチ地域に含まれる地域毎に算出し、当該頻度が多いほど高くなる移動可能性を前記サーチ地域に含まれる地域毎に特定し、特定した移動可能性の高さに応じて、前記サーチ地域に含まれる地域をグループ分けする処理をさらに行い、
前記サーチ対象絞込処理において、前記グループ毎に、前記系列情報より、前記サーチ地域にサービスエリアが含まれる放送局の内、前記視聴対象放送局と系列局関係にある放送局に対応するチャンネル情報を特定し、当該特定されたチャンネル情報に含まれる識別情報で識別される物理チャンネルをサーチ対象とし、
前記サーチ処理において、前記移動可能性の高いグループから順に、前記チューナ部を制御して、前記サーチ対象とされた物理チャンネルに対応する放送局を順番に選局し、当該選局させた放送局からの放送電波の受信状態が前記予め定められた基準を満たしている場合には、当該選局させた放送局を前記新たな視聴対象放送局とすること
を特徴とする請求項１から４の何れか一項に記載のデジタル放送受信装置。
【請求項６】
前記選局制御部は、
前記サーチ処理において、前記選局させた放送局からの放送電波の受信状態が前記予め定められた基準を満たしている場合には、前記選局させた放送局と、前記視聴対象放送局とが系列局関係にあるか否かを判断し、前記選局させた放送局と、前記視聴対象放送局とが系列局関係にあると判断したときに、前記選局させた放送局を前記新たな視聴対象放送局とすること
を特徴とする請求項１から５の何れか一項に記載のデジタル放送受信装置。
【請求項７】
前記選局制御部は、
前記サーチ処理において、前記選局させた放送局と、前記視聴対象放送局とが系列局関係にないと判断したときには、
前記選局させた放送局から受信される放送電波から得られる番組情報から、前記選局させた放送局のサービスエリアが属する地域を、推定現在地域として特定する推定現在地域特定処理と、
前記隣接地域情報より、前記推定現在地域に隣接する隣接地域を特定して、前記推定現在地域、及び、前記推定現在地域に隣接する隣接地域を、現在地域候補として特定する現在地域候補特定処理と、
前記サーチ地域に含まれる地域の内、前記現在地域候補に含まれる地域と重複する地域を特定し、前記重複する地域にサーチ地域を絞り込むサーチ地域絞込処理と、をさらに行い、
前記選局制御部は、前記絞り込まれたサーチ地域に対して、前記サーチ対象絞込処理及び前記サーチ処理を再び行うこと
を特徴とする請求項６に記載のデジタル放送受信装置。
【請求項８】
放送電波を受信し、当該放送電波から受信信号を生成するチューナ部と、
前記受信信号に含まれる番組情報を分離するデマルチプレクス部と、
前記放送電波の受信状態が予め定められた基準を満たすか否かを判断する受信状態検出部と、
予め定められた地域毎に、系列局関係を識別するための系列局関係情報と、前記地域にサービスエリアが属する放送局の内、前記系列局関係情報で識別される系列局関係にある放送局の物理チャンネルを識別することのできる識別情報を少なくとも含むチャンネル情報とを対応付けた系列情報、及び、前記地域に隣接する隣接地域を示す隣接地域情報、を記憶する記憶部と、
前記チューナ部を制御して、視聴対象となる番組を放送する放送局を選局させ、当該放送局を視聴対象放送局とする選局制御部と、を備えるデジタル放送受信装置が行うデジタル放送受信方法であって、
前記選局制御部が、前記番組情報から、前記視聴対象放送局のサービスエリアが属する地域を示す現在地域情報を取得する処理を行う現在地域取得過程と、
前記受信状態検出部が、前記放送電波の受信状態が予め定められた基準を満たさないと判断した場合に、前記選局制御部が、前記隣接地域情報より、前記現在地域情報で示される地域に隣接する隣接地域を特定し、当該特定された隣接地域をサーチ地域とする処理を行うサーチ地域特定過程と、
前記選局制御部が、前記系列情報より、前記サーチ地域にサービスエリアが属する放送局の内、前記視聴対象放送局と系列局関係にある放送局に対応するチャンネル情報を特定し、当該特定されたチャンネル情報に含まれる識別情報で識別される物理チャンネルをサーチ対象とする処理を行うサーチ対象絞込過程と、
前記選局制御部が、前記特定されたチャンネル情報に含まれる識別情報で識別される物理チャンネルの重複数を算出する処理を行う第１重複数算出過程と、
前記選局制御部が、前記チューナ部を制御して、前記サーチ対象とされた物理チャンネルに対応する放送局を、前記重複数の多い物理チャンネルに対応する放送局から順番に選局させ、当該選局させた放送局からの放送電波の受信状態が前記予め定められた基準を満たしている場合には、当該選局させた放送局を新たな視聴対象放送局とする処理を行うサーチ過程と、を有すること
を特徴とするデジタル放送受信方法。
【請求項９】
前記サーチ地域特定過程において、前記選局制御部は、前記現在地域情報で示される地域も前記サーチ地域に含めること
を特徴とする請求項８に記載のデジタル放送受信方法。
【請求項１０】
前記第１重複数算出過程で算出された重複数が同じ複数の物理チャンネルがある場合には、前記選局制御部が、前記系列情報より、前記サーチ地域に含まれる放送局の内、前記視聴対象放送局と系列局関係にない放送局に対応するチャンネル情報を特定し、当該特定されたチャンネル情報に含まれる識別情報で識別される物理チャンネルと、前記複数の物理チャンネルの各々とが重複する重複数を算出する処理を行う第２重複数算出過程をさらに有し、
前記サーチ処理において、前記選局制御部は、前記複数の物理チャンネルの各々に対応する放送局を、前記第２重複数算出過程で算出された重複数の多いものから順に選局すること
を特徴とする請求項８又は９に記載のデジタル放送受信方法。
【請求項１１】
前記記憶部は、複数の放送局間で選局が切り替えられた際の切替元の放送局のチャンネル情報と、当該切替元の放送局のサービスエリアが属する地域と、当該切替元の放送局から切り替えられた切替先の放送局のチャンネル情報と、当該切替先の放送局のサービスエリアが属する地域と、を対応付けた選局履歴情報をさらに記憶し、
前記選局制御部が、前記選局履歴情報において、前記サーチ対象とされた物理チャンネルに対応する放送局が、当該放送局のサービスエリアが属する地域とは異なる地域にサービスエリアが属する前記切替元の放送局又は前記切替先の放送局との間で切り替えが行われていない場合には、当該放送局を他地域非隣接放送局として特定する処理を行う他地域非隣接判断過程をさらに有し、
前記サーチ処理において、前記選局制御部は、前記他地域非隣接放送局とされた放送局を選局する順番を、前記第１重複数算出処理で算出された重複数に基づく順番よりも遅らせること
を特徴とする請求項８から１０の何れか一項に記載のデジタル放送受信方法。
【請求項１２】
前記記憶部は、複数の放送局間で選局が切り替えられた際の切替元の放送局のチャンネル情報と、当該切替元の放送局のサービスエリアが属する地域と、当該切替元の放送局から切り替えられた切替先の放送局のチャンネル情報と、当該切替先の放送局のサービスエリアが属する地域と、を対応付けた選局履歴情報をさらに記憶し、
前記選局制御部が、前記選局履歴情報において、前記視聴対象放送局から、前記サーチ地域に含まれる地域に移動した頻度を、前記サーチ地域に含まれる地域毎に算出し、当該頻度が多いほど高くなる移動可能性を前記サーチ地域に含まれる地域毎に特定し、特定した移動可能性の高さに応じて、前記サーチ地域に含まれる地域をグループ分けする処理を行う過程をさらに有し、
前記サーチ対象絞込過程において、前記選局制御部は、前記グループ毎に、前記系列情報より、前記サーチ地域にサービスエリアが属する放送局の内、前記視聴対象放送局と系列局関係にある放送局に対応するチャンネル情報を特定し、当該特定されたチャンネル情報に含まれる識別情報で識別される物理チャンネルをサーチ対象とし、
前記サーチ処理において、前記選局制御部は、前記移動可能性の高いグループから順に、前記チューナ部を制御して、前記サーチ対象とされた物理チャンネルに対応する放送局を順番に選局し、当該選局させた放送局からの放送電波の受信状態が前記予め定められた基準を満たしている場合には、当該選局させた放送局を前記新たな視聴対象放送局とすること
を特徴とする請求項８から１１の何れか一項に記載のデジタル放送受信方法。
【請求項１３】
前記サーチ処理において、前記選局制御部は、前記選局させた放送局からの放送電波の受信状態が前記予め定められた基準を満たしている場合には、前記選局させた放送局と、前記視聴対象放送局とが系列局関係にあるか否かを判断し、前記選局させた放送局と、前記視聴対象放送局とが系列局関係にあると判断したときに、前記選局させた放送局を前記新たな視聴対象放送局とすること
を特徴とする請求項８から１２の何れか一項に記載のデジタル放送受信方法。
【請求項１４】
前記サーチ処理において、前記選局制御部が、前記選局させた放送局と、前記視聴対象放送局とが系列局関係にないと判断したときには、
前記選局制御部が、前記選局させた放送局から受信される放送電波から得られる番組情報から、前記選局させた放送局のサービスエリアが属する地域を、推定現在地域として特定する処理を行う推定現在地域特定過程と、
前記選局制御部が、前記隣接地域情報より、前記推定現在地域に隣接する隣接地域を特定して、前記推定現在地域、及び、前記推定現在地域に隣接する隣接地域を、現在地域候補として特定する処理を行う現在地域候補特定処理と、
前記選局制御部が、前記サーチ地域に含まれる地域の内、前記現在地域候補に含まれる地域と重複する地域を特定し、前記重複する地域にサーチ地域を絞り込む処理を行うサーチ地域絞込過程と、をさらに有し、
前記選局制御部は、前記絞り込まれたサーチ地域に対して、前記サーチ対象絞込過程及び前記サーチ過程での処理を再び行うこと
を特徴とする請求項１３に記載のデジタル放送受信方法。
【手続補正２】
【補正対象書類名】明細書
【補正対象項目名】０００７
【補正方法】変更
【補正の内容】
【０００７】
本発明の一態様に係るデジタル放送受信装置は、
放送電波を受信し、当該放送電波から受信信号を生成するチューナ部と、
前記受信信号に含まれる番組情報を分離するデマルチプレクス部と、
前記放送電波の受信状態が予め定められた基準を満たすか否かを判断する受信状態検出部と、
予め定められた地域毎に、系列局関係を識別するための系列局関係情報と、前記地域にサービスエリアが属する放送局の内、前記系列局関係情報で識別される系列局関係にある放送局の物理チャンネルを識別することのできる識別情報を少なくとも含むチャンネル情報とを対応付けた系列情報、及び、前記地域に隣接する隣接地域を示す隣接地域情報、を記憶する記憶部と、
前記チューナ部を制御して、視聴対象となる番組を放送する放送局を選局させ、当該放送局を視聴対象放送局とする選局制御部と、を備え、
前記選局制御部は、
前記番組情報から、前記視聴対象放送局のサービスエリアが属する地域を示す現在地域情報を取得する現在地域取得処理と、
前記受信状態検出部が、前記放送電波の受信状態が予め定められた基準を満たさないと判断した場合に、前記隣接地域情報より、前記現在地域情報で示される地域に隣接する隣接地域を特定し、当該特定された隣接地域をサーチ地域とするサーチ地域特定処理と、
前記系列情報より、前記サーチ地域にサービスエリアが属する放送局の内、前記視聴対象放送局と系列局関係にある放送局に対応するチャンネル情報を特定し、当該特定されたチャンネル情報に含まれる識別情報で識別される物理チャンネルをサーチ対象とするサーチ対象絞込処理と、
前記特定されたチャンネル情報に含まれる識別情報で識別される物理チャンネルの重複数を算出する第１重複数算出処理と、
前記チューナ部を制御して、前記サーチ対象とされた物理チャンネルに対応する放送局を、前記重複数の多い物理チャンネルに対応する放送局から順番に選局させ、当該選局させた放送局からの放送電波の受信状態が前記予め定められた基準を満たしている場合には、当該選局させた放送局を新たな視聴対象放送局とするサーチ処理と、を行うこと
を特徴とする。